【事件の表示】
　特願２０１６−１８０５０７号「遊技機」拒絶査定不服審判事件〔平成３０年　３月２２日出願公開、特開２０１８−　４２７９９号〕について、次のとおり審決する。
【結　論】
　本件審判の請求は、成り立たない。
【理　由】
第１　手続の経緯
　本願は、平成２８年９月１５日の出願であって、平成２９年６月２２日付けで拒絶の理由が通知され、平成２９年８月１８日に意見書及び手続補正書が提出されたところ、平成２９年８月３０日付け（発送日：平成２９年９月５日）で拒絶査定がなされ、それに対して、平成２９年１１月１０日に拒絶査定不服審判の請求がなされると同時に手続補正がなされ、これに対し、当審において、平成３０年６月２５日付けで拒絶の理由が通知され、平成３０年８月３日に意見書及び手続補正書が提出され、これに対し、当審において、平成３０年１０月１日付けで拒絶の理由が通知され、平成３０年１１月２９日に意見書及び手続補正書が提出されたものである。 
  
第２　本願発明について
　平成３０年１１月２９日に提出された手続補正書により補正された特許請求の範囲の請求項１に係る発明（以下「本願発明」という。）は、その請求項１に記載された事項により特定される、次のとおりのものと認める（なお、Ａ〜Ｊは、分説のために当審にて付した。）。 
「【請求項１】
Ａ　始動条件の成立により判定情報を取得する取得手段と、
Ｂ　前記取得手段により取得された前記判定情報を複数記憶して保留可能な記憶手段と、
Ｃ　前記記憶手段に記憶された前記判定情報に基づいて、遊技者に有利な特別遊技を行うか否かを判定する判定手段と、
Ｄ　前記判定手段が前記判定情報に基づいて前記判定を行うより前に、前記取得手段により取得された前記判定情報に基づいて、前記特別遊技を行うか否かの事前判定を行う事前判定手段と、
Ｅ　前記判定情報に基づいて、図柄を変動表示させ、停止させる図柄変動を実行する図柄変動制御手段と、
Ｆ　表示手段を用いて所定の表示演出を実行する演出制御手段と、を備え、
Ｆ１　前記演出制御手段は、前記事前判定手段による前記事前判定に基づいて、前記取得手段によって前記判定情報が取得されてから、当該判定情報に基づいて前記判定手段によって前記判定が実行されるまでの間に、前記図柄変動制御手段による複数回の図柄変動に亘って連続演出を前記表示手段にて実行可能であるとともに、当該連続演出の実行中に第１画像により当該連続演出を実行していることを示唆するとともに当該連続演出を連続して実行することに応じて態様を変化させることが可能な連続演出示唆表示を前記表示手段に表示可能な連続演出実行手段と、
Ｆ２　前記判定手段による前記判定に基づいて、演出図柄の変動表示を擬似的に繰り返す擬似変動演出を実行可能であるとともに、当該擬似変動演出の実行中に前記第１画像とは異なる第２画像により当該擬似変動演出を実行していることを示唆する擬似変動演出示唆表示を前記表示手段に表示可能な擬似変動演出実行手段と、を備え、
Ｄ１　前記事前判定手段は、前記取得手段により取得された前記判定情報に基づいて、前記連続演出実行手段によって前記連続演出が実行可能か否かを判定する事前連続演出判定手段を備え、
Ｆ３　前記演出制御手段は、前記連続演出実行手段による前記連続演出を実行する場合、前記事前連続演出判定手段によって前記連続演出が実行可能と判定されてから前記連続演出実行手段により前記連続演出を実行するまで前記擬似変動演出実行手段による前記擬似変動演出を実行しないとともに、当該連続演出を実行した後に、前記擬似変動演出実行手段による前記擬似変動演出を実行可能にする、
Ｊ　ことを特徴とする遊技機。」
第３　当審が通知した拒絶理由の概要
　平成３０年１０月１日付けの当審における拒絶の理由の理由３の概要は、以下の通りである。
３．（進歩性）本件出願の下記の請求項に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　　　記　　　（引用文献等については引用文献等一覧参照）  
  
●理由３（進歩性）について  
・請求項　１  
・引用文献等　１−３ 
　　　  
  
　 　　　　　　　　　　＜引用文献等一覧＞ 
１．特開２０１０−２３３５８８号公報
２．特開２０１６−２１２５号公報 
３．特開２０１４−１７１７４２号公報
第４　引用例に記載された発明
（４−１）引用例１
　当審における拒絶の理由（平成３０年１０月１日付け拒絶理由通知）に引用文献１として引用された特開２０１０−２３３５８８号公報（以下、「引用例１」という。）には、図面と共に以下の事項が記載されている（下線は当審にて付した。）。
（ア）「【００４０】
　
始動口２８の遊技球入球に伴って、特別図柄当否判定用乱数
が取得され、この取得された特別図柄当否判定用乱数
は、主制御部２００のＲＡＭの所定領域（保留記憶領域）に記憶される
・・・
【００４２】
　
始動口２８に入球した遊技球数は、特別図柄保留数として最大保留数（本実施例では４個）に達するまで保留可能となっている。特別図柄保留数は、
主制御部２００のＲＡＭの所定領域（保留記憶領域）に記憶される特別図柄当否判定用乱数の個数（記憶数）に相当する
（イ）「【００４３】
　特別図柄当否判定用乱数には、当否判定用の当り値が設定されており、遊技球が始動口２８に入球したタイミングで取得された
特別図柄当否判定用乱数が当り値と一致する場合に大当りと判定される。特別図柄当否判定は、特別図柄が変動表示を開始する際に行われる
・・・
【００４７】
　具体的には、
始動口２８に遊技球が入球して保留が発生した場合、
特別図柄当否判定に先立ち、保留された特別図柄当否判定用乱数が当否判定用の当り値と一致しているか否かを、その保留発生時に判定する特別図柄事前判定処理が行われる
【００４８】
　また、
特別図柄当否判定、
特別図柄事前判定処理は、
主制御部２００によって行われる
【００４９】
　本実施例では、
特別図柄事前判定処理の結果、特別図柄当否判定用乱数が当否判定用の当り値と一致している場合
には、
予告演出が行われる。本実施例の予告演出は、
連続予告
特別図柄の１回の変動表示内で予告演出を複数回に渡って実行する疑似連続予告
がある
・・・
【００５２】
　当り保留が発生した場合に
連続予告を行う場合は、
特別図柄の複数回の変動表示に渡って
保留された当り乱数に基づく特別図柄の変動表示が停止するまで、連続的に予告演出が行われる
【００５３】
　
連続予告
について説明する
演出表示装置２５の表示領域で
表示する
・・・
【００５８】
　
疑似連続予告は、
演出表示装置２５の表示領域で
予告演出を行う
（ウ）「【００８４】
　サブ制御部２６０は、遊技の進行に伴って実行される各種演出を制御するサブ制御手段を構成しており、サブ制御基板２６０ａにはＣＰＵ２６０ｂや図示しないＲＯＭ、ＲＡＭ、入出力ポート等を有する演算回路構成要素とサウンドジェネレータが設けられており、入出力ポートにおいて主制御部２００に接続されている。
サブ制御部２６０は、
演出表示装置２５による図柄表示等を用いた演出制御を司る
（エ）「【００８８】
　次に、本実施例の
遊技機１
主制御部２００
が
実行する
特別図柄遊技処理Ｓ５００
・・・
【００９２】
　次に、
特別図柄遊技処理Ｓ５００を
説明する
始動口２８に入賞したか否かを判定し
、始動口２８に入賞したと判定された場合には
、特別図柄用乱数
を取得して記憶する
。特別図柄用乱数は、特別図柄当否判定用乱数
などからなる
【００９３】
　次に、
事前判定処理を実行する
まず、当り保留フラグがＯＮにセットされているか否か
を判定する
【００９４】
　この結果、当り保留フラグがＯＮにセットされていると判定された場合には（Ｓ５０４ａ：ＹＥＳ）、重ねて連続予告が行われることを防止するために、事前判定処理を終了する。一方、
当り保留フラグがＯＮにセットされていないと判定された場合には
、取得（記憶）した特別図柄当否判定用乱数が当り値と一致しているか否か
を判定する
【００９５】
　この結果、特別図柄当否判定用乱数が当り値と一致していないと判定された場合には（Ｓ５０４ｂ：ＮＯ）、事前判定処理を終了する。一方、
特別図柄当否判定用乱数が当り値と一致していると判定された場合には
、当り保留フラグをＯＮにセットし
、当り保留コマンドをサブ制御部２６０に送信する
。当り保留コマンドは、保留された特別図柄当否判定用乱数の当り保留が含まれていることを示すコマンドであり
サブ制御部２６０は連続予告
を実行する
（オ）「【００９７】
　この結果、特別図柄保留数がゼロであると判定された場合には（Ｓ５０８：ＹＥＳ）、特別図柄遊技処理を終了する。一方、特別図柄保留数がゼロでないと判定された場合には（Ｓ５０８：ＮＯ）、特別図柄変動表示処理を行う（Ｓ７００）。ここで、特別図柄変動表示処理を図７のフローチャートに基づいて説明する。まず、
主制御部２００のＲＡＭの所定領域
に記憶されている特別図柄当否判定用乱数
を読み出し
、特別図柄当否判定を行う
・・・ 
【０１０１】 
　次に、Ｓ７１１で
決定された停止図柄および変動パターンに従って、特別図柄表示部６１で特別図柄の変動表示を開始し
・・・
【０１０３】
　次に、図５（ａ）に戻り、上記Ｓ５０６で特別図柄が変動中であると判定された場合には（Ｓ５０６：ＹＥＳ）、変動中の特別図柄の変動表示時間が経過しているか否かを判定する（図５（ｂ）のＳ５１０）。この結果、特別図柄の変動表示時間が経過していないと判定された場合には（Ｓ５１０：ＮＯ）、そのまま特別図柄遊技処理を終了し、特別図柄の変動表示時間が経過していると判定された場合には（Ｓ５１０：ＹＥＳ）、
特別図柄の変動を停止し
（カ）「【０１１４】
　次に、サブ制御部２６０が主体となって行う連続予告設定処理について説明する。図９は、
サブ制御部２６０
が
実行する連続予告設定処理
【０１１５】
　まず、Ｓ５０４ｄで
主制御部２００が送信する当り保留コマンド
を受信している
場合には
、
当り保留に対して連続予告を実行するか否かを抽選する連続予告実行抽選処理を行う
【０１１６】
　次に、連続予告実行抽選の結果が当選であるか否かを判定する（Ｓ８０２）。この結果、当選でない（連続予告を行わない）と判定された場合には（Ｓ８０２：ＮＯ）、連続予告設定処理を終了する。一方、
当選である
と判定された場合には
、前回の特別図柄の変動時に疑似連続予告を実行したか否かを判定する
・・・
【０１１８】
　一方、
前回の特別図柄の変動時に疑似連続予告を実行していないと判定された場合には
、連続予告フラグをＯＮにセットし
、連続予告カウンタをセットする
連続予告カウンタは、連続予告を実行する特別図柄の変動回数であり
（キ）「【０１１９】
　次に、サブ制御部２６０が主体となって行う図柄変動演出処理について説明する。図１０は、
サブ制御部２６０
が
実行する図柄変動演出処理
・・・
【０１２２】
　この結果、
特別図柄当否判定の結果が大当りであると判定された場合には
連続予告フラグがＯＮにセットされている
場合には
連続予告を伴う図柄変動演出
を開始する
【０１２３】
　
次に、連続予告カウンタを１減算する
連続予告カウンタがゼロである
場合には
、連続予告フラグをＯＦＦにセットする
【０１２４】
　上記Ｓ９０３の判定処理で、
連続予告フラグがＯＮにセットされていない
場合には
、疑似連続予告実行抽選処理の結果が当選であるか否かを判定する
この結果、当選である
場合には
、疑似連続予告を伴う図柄変動演出
を開始する
（ク）「【０１８７】
　また、上記実施例では、連続予告を構成する予告演出と疑似連続予告を構成する予告演出を同じ態様として構成したが、
連続予告
と疑似連続予告
を異なる態様としてもよい
　上記記載事項（ア）〜（ク）から、以下の事項が導かれる。なお、（ａ）〜（ｊ）は、本願発明の構成Ａ〜Ｊに対応した事項を示している。  
  
（ａ）段落【００８８】には「主制御部２００・・・が・・・実行する・・・特別図柄遊技処理Ｓ５００」と記載され、段落【００９２】には「特別図柄遊技処理Ｓ５００を・・・説明する。・・・始動口２８に入賞したか否かを判定し・・・、始動口２８に入賞したと判定された場合には・・・、特別図柄用乱数・・・を取得して記憶する・・・。特別図柄用乱数は、特別図柄当否判定用乱数・・・などからなる」と記載されているから、引用例１には、
始動口２８に入賞したか否かを判定し、始動口２８に入賞したと判定された場合には、特別図柄当否判定用乱数を取得する主制御部２００
（ｂ）段落【００４０】には「始動口２８の遊技球入球に伴って、特別図柄当否判定用乱数・・・が取得され、この取得された特別図柄当否判定用乱数・・・は、主制御部２００のＲＡＭの所定領域（保留記憶領域）に記憶される」と記載され、段落【００４２】には「始動口２８に入球した遊技球数は、特別図柄保留数として最大保留数（本実施例では４個）に達するまで保留可能となっている。特別図柄保留数は、・・・主制御部２００のＲＡＭの所定領域（保留記憶領域）に記憶される特別図柄当否判定用乱数の個数（記憶数）に相当する」と記載されているから、引用例１には、
取得された特別図柄当否判定用乱数が最大保留数（４個）に達するまで記憶される主制御部２００のＲＡＭの所定領域（保留記憶領域）
（ｃ）段落【００４３】には「特別図柄当否判定用乱数が当り値と一致する場合に大当りと判定される。特別図柄当否判定は、特別図柄が変動表示を開始する際に行われる」と記載され、段落【００４８】には「特別図柄当否判定・・・は、・・・主制御部２００によって行われる」と記載されているから、引用例１には、
特別図柄が変動表示を開始する際に、特別図柄当否判定用乱数が当り値と一致する場合に大当りと判定する特別図柄当否判定を行う主制御部２００
 
（ｄ）段落【００４７】には「始動口２８に遊技球が入球して保留が発生した場合、・・・特別図柄当否判定に先立ち、保留された特別図柄当否判定用乱数が当否判定用の当り値と一致しているか否かを、その保留発生時に判定する特別図柄事前判定処理が行われる」と記載され、段落【００４８】には「・・・特別図柄事前判定処理は、・・・主制御部２００によって行われる」と記載されているから、引用例１には、
始動口２８に遊技球が入球して保留が発生した場合、特別図柄当否判定に先立ち、保留された特別図柄当否判定用乱数が当否判定用の当り値と一致しているか否かを、その保留発生時に判定する特別図柄事前判定処理を行う主制御部２００
（ｅ）段落【００９７】には「主制御部２００のＲＡＭの所定領域・・・に記憶されている特別図柄当否判定用乱数・・・を読み出し・・・特別図柄当否判定を行う」と記載され、段落【０１０１】には「決定された停止図柄および変動パターンに従って、特別図柄表示部６１で特別図柄の変動表示を開始し」と記載され、段落【０１０３】には「特別図柄の変動を停止し」と記載されているから、引用例１には、
主制御部２００のＲＡＭの所定領域に記憶されている特別図柄当否判定用乱数を読み出し、特別図柄当否判定を行い、決定された停止図柄および変動パターンに従って、特別図柄表示部６１で特別図柄の変動表示を開始し、特別図柄の変動を停止する主制御部２００
（ｆ）段落【００８４】には「サブ制御部２６０は、・・・演出表示装置２５による図柄表示等を用いた演出制御を司る」と記載されているから、引用例１には、
演出表示装置２５による図柄表示等を用いた演出制御を司るサブ制御部２６０
（ｆ１）段落【００９５】には「サブ制御部２６０は連続予告・・・を実行する」と記載され、段落【００４９】には「特別図柄事前判定処理の結果、特別図柄当否判定用乱数が当否判定用の当り値と一致している場合・・・には、・・・予告演出が行われる。本実施例の予告演出は、・・・連続予告・・・がある」と記載され、段落【００５２】には「連続予告を行う場合は、・・・特別図柄の複数回の変動表示に渡って・・・保留された当り乱数に基づく特別図柄の変動表示が停止するまで、連続的に予告演出が行われる」と記載され、段落【００５３】には「連続予告・・・について説明する・・・演出表示装置２５の表示領域で・・・表示する」と記載されているから、引用例１には、
サブ制御部２６０は、特別図柄事前判定処理の結果、特別図柄当否判定用乱数が当否判定用の当り値と一致している場合には、連続予告を行い、連続予告を行う場合は、特別図柄の複数回の変動表示に渡って、保留された当り乱数に基づく特別図柄の変動表示が停止するまで、演出表示装置２５の表示領域で連続的に予告演出を行う
（ｆ２）段落【０１１９】には「サブ制御部２６０・・・が・・・実行する図柄変動演出処理」と記載され、段落【０１２２】には「特別図柄当否判定の結果が大当りであると判定された場合には」と記載され、段落【０１２４】の「疑似連続予告実行抽選処理の結果が・・・当選である・・・場合には・・・、疑似連続予告を伴う図柄変動演出・・・を開始する」と記載され、段落【００４９】には「特別図柄の１回の変動表示内で予告演出を複数回に渡って実行する疑似連続予告」と記載され、段落【００５８】には「疑似連続予告は、・・・演出表示装置２５の表示領域で・・・予告演出を行う」と記載され、段落【０１８７】には「連続予告・・・と疑似連続予告・・・を異なる態様としてもよい」と記載されているから、引用例１には、
サブ制御部２６０は、特別図柄当否判定の結果が大当りであると判定された場合に疑似連続予告実行抽選処理の結果が当選である場合には疑似連続予告を伴う図柄変動演出を開始し、ここで、疑似連続予告は、特別図柄の１回の変動表示内で演出表示装置２５の表示領域で予告演出を複数回に渡って実行するものであり、さらに、連続予告と疑似連続予告は異なる態様である
（ｄ１）段落【００４７】には「始動口２８に遊技球が入球して保留が発生した場合、・・・特別図柄当否判定に先立ち、保留された特別図柄当否判定用乱数が当否判定用の当り値と一致しているか否かを、その保留発生時に判定する特別図柄事前判定処理が行われる」と記載され、段落【００４８】には「・・・特別図柄事前判定処理は、・・・主制御部２００によって行われる」と記載され、段落【００９３】には「事前判定処理を実行する・・・まず、当り保留フラグがＯＮにセットされているか否かを判定する」と記載され、段落【００９４】には「当り保留フラグがＯＮにセットされていないと判定された場合には・・・、取得（記憶）した特別図柄当否判定用乱数が当り値と一致しているか否か・・・を判定する」と記載され、段落【００９５】には「特別図柄当否判定用乱数が当り値と一致していると判定された場合には・・・、当り保留フラグをＯＮにセットし・・・、当り保留コマンドをサブ制御部２６０に送信する・・・。当り保留コマンドは、保留された特別図柄当否判定用乱数の当り保留が含まれていることを示すコマンドであり」と記載され、段落【０１１４】には「サブ制御部２６０・・・が・・・実行する連続予告設定処理」と記載され、【０１１５】には「主制御部２００が送信する当り保留コマンド・・・を受信している・・・場合には・・・当り保留に対して連続予告を実行するか否かを抽選する連続予告実行抽選処理を行う」と記載され、【０１１６】には「当選である・・・と判定された場合には・・・前回の特別図柄の変動時に疑似連続予告を実行したか否かを判定する」と記載され、【０１１８】には「前回の特別図柄の変動時に疑似連続予告を実行していないと判定された場合には・・・連続予告フラグをＯＮにセットし・・・、連続予告カウンタをセットする」と記載されているから、引用例１には、
主制御部２００は、特別図柄事前判定処理を実行し、当り保留フラグがＯＮにセットされているか否かを判定し、当り保留フラグがＯＮにセットされていないと判定された場合には、取得（記憶）した特別図柄当否判定用乱数が当り値と一致しているか否かを判定し、当り値と一致していると判定された場合には、保留された特別図柄当否判定用乱数の当り保留が含まれていることを示すコマンドである当り保留コマンドをＯＮにセットしてサブ制御部２６０に送信し、サブ制御部２６０は、主制御部２００が送信する当り保留コマンドを受信している場合には、当り保留に対して連続予告を実行するか否かを抽選する連続予告実行抽選処理を行い、当選であると判定された場合には、連続予告フラグをＯＮにセットし、連続予告カウンタをセットする
（ｆ３）段落【０１１４】には「サブ制御部２６０・・・が・・・実行する連続予告設定処理」と記載され、段落【０１２２】の「連続予告フラグがＯＮにセットされている・・・場合には・・・、連続予告を伴う図柄変動演出・・・を開始する」と記載され、【０１１８】には「連続予告カウンタは、連続予告を実行する特別図柄の変動回数であり」と記載され、段落【０１２３】には「次に、連続予告カウンタを１減算する・・・連続予告カウンタがゼロである・・・場合には・・・、連続予告フラグをＯＦＦにセットする」と記載され、段落【０１２４】には「連続予告フラグがＯＮにセットされていない・・・場合には・・・、疑似連続予告実行抽選処理の結果が当選であるか否かを判定する・・・この結果、当選である・・・場合には・・・、疑似連続予告を伴う図柄変動演出・・・を開始する」と記載されているから、引用例１には、
サブ制御部２６０は、連続予告フラグがＯＮにセットされている場合には、連続予告を伴う図柄変動演出を開始し、連続予告を実行する特別図柄の変動回数である連続予告カウンタを１減算し、連続予告カウンタがゼロである場合には、連続予告フラグをＯＦＦにセットし、一方、連続予告フラグがＯＮにセットされていない場合には、疑似連続予告実行抽選処理の結果が当選であるか否かを判定し、当選である場合には、疑似連続予告を伴う図柄変動演出を開始する
（ｊ）段落【００８８】には「・・・遊技機１・・・」と記載されているから、 引用例１には、
遊技機１
　上記記載事項（ア）〜（ク）、及び、認定事項（ａ）〜（ｊ）に基づくと、引用例１には、以下の発明（以下、「引用発明」という。）が記載されているといえる。 
 　 
「ａ　始動口２８に入賞したか否かを判定し、始動口２８に入賞したと判定された場合には、特別図柄当否判定用乱数を取得する主制御部２００と、 
　ｂ　取得された特別図柄当否判定用乱数を最大保留数（４個）に達するまで記憶する主制御部２００のＲＡＭの所定領域（保留記憶領域）と、 
　ｃ　特別図柄が変動表示を開始する際に、特別図柄当否判定用乱数が当り値と一致する場合に大当りと判定する特別図柄当否判定を行う主制御部２００と、 
　ｄ　始動口２８に遊技球が入球して保留が発生した場合、特別図柄当否判定に先立ち、保留された特別図柄当否判定用乱数が当否判定用の当り値と一致しているか否かを、その保留発生時に判定する特別図柄事前判定処理を行う主制御部２００と、 
　ｅ　主制御部２００のＲＡＭの所定領域に記憶されている特別図柄当否判定用乱数を読み出し、特別図柄当否判定を行い、決定された停止図柄および変動パターンに従って、特別図柄表示部６１で特別図柄の変動表示を開始し、特別図柄の変動を停止する主制御部２００と、
　ｆ　演出表示装置２５による図柄表示等を用いた演出制御を司るサブ制御部２６０と、を備え、 
　ｆ１　サブ制御部２６０は、特別図柄事前判定処理の結果、特別図柄当否判定用乱数が当否判定用の当り値と一致している場合には、連続予告を行い、連続予告を行う場合は、特別図柄の複数回の変動表示に渡って、保留された当り乱数に基づく特別図柄の変動表示が停止するまで、演出表示装置２５の表示領域で連続的に予告演出を行い、
　ｆ２　サブ制御部２６０は、特別図柄当否判定の結果が大当りであると判定された場合に疑似連続予告実行抽選処理の結果が当選であると判定された場合には疑似連続予告を伴う図柄変動演出を開始し、ここで、疑似連続予告は、特別図柄の１回の変動表示内で演出表示装置２５の表示領域で予告演出を複数回に渡って実行するものであり、さらに、連続予告と疑似連続予告は異なる態様であり、
　ｄ１　主制御部２００は、特別図柄事前判定処理を実行し、当り保留フラグがＯＮにセットされているか否かを判定し、当り保留フラグがＯＮにセットされていないと判定された場合には、取得（記憶）した特別図柄当否判定用乱数が当り値と一致しているか否かを判定し、当り値と一致していると判定された場合には、保留された特別図柄当否判定用乱数の当り保留が含まれていることを示すコマンドである当り保留コマンドをＯＮにセットしてサブ制御部２６０に送信し、サブ制御部２６０は、主制御部２００が送信する当り保留コマンドを受信している場合には、当り保留に対して連続予告を実行するか否かを抽選する連続予告実行抽選処理を行い、当選であると判定された場合には、連続予告フラグをＯＮにセットし、連続予告カウンタをセットし、
　ｆ３　サブ制御部２６０は、連続予告フラグがＯＮにセットされている場合には、連続予告を伴う図柄変動演出を開始し、連続予告を実行する特別図柄の変動回数である連続予告カウンタを１減算し、連続予告カウンタがゼロである場合には、連続予告フラグをＯＦＦにセットし、一方、連続予告フラグがＯＮにセットされていない場合には、疑似連続予告実行抽選処理の結果が当選であるか否かを判定し、当選である場合には、疑似連続予告を伴う図柄変動演出を開始する、
　ｊ　遊技機１。」 
（４−２）引用例２
　当審における拒絶の理由（平成３０年１０月１日付け拒絶理由通知）に引用文献２として引用された特開２０１６−２１２５号公報（以下、「引用例２」という。）には、図面と共に以下の事項が記載されている（下線は当審にて付した。）。
（ア）「【００９７】
　ここで、本
遊技機１では、演出表示装置２７の
演出図柄表示領域２７ｂは、
左循環表示領域２７Ｌと、
右循環表示領域２７Ｒとで構成されている
（イ）「【０２１４】
　なお、実施例３を実施例１の変形例として説明したが、実施例３を実施例２の変形例としてもよい。つまり、ステップアップ演出と疑似連続予告演出の他に、連続予告演出を実行可能としてもよい。この場合、図４９（ｃ）に示す変形例１に示すように、疑似連続予告演出を行う場合と、連続予告演出を行う場合とで、発光装置（上部発光装置７０Ａ、下部発光装置７０Ｂ）の駆動態様が異なり、疑似連続予告演出を実行中であるか、連続予告演出が実行中であるかが区別容易とされることが望ましい。
【０２１５】
　例えば、
疑似連続予告演出を実行する場合には、左循環表示領域２７Ｌから帽子を脱いだ蝶のキャラクタＧ２が飛び立つ表示を
行い、連続予告演出を実行する場合には、右循環表示領域２７Ｒから帽子を被った蝶のキャラクタＧ８
が飛び立つ表示を行う
　上記記載事項（ア）及び（イ）に基づくと、引用例２には、以下の発明（以下、「引用例２に記載された事項」という。）が記載されているといえる。
「ｆ１　連続予告演出を実行する場合には、演出表示装置２７の右循環表示領域２７Ｒから帽子を被った蝶のキャラクタＧ８が飛び立つ表示を行い、
　ｆ２　疑似連続予告演出を実行する場合には、演出表示装置２７の左循環表示領域２７Ｌから帽子を脱いだ蝶のキャラクタＧ２が飛び立つ表示を行う、
　ｊ　遊技機１」
第５　対比
　本願発明と、引用発明とを対比する。なお、見出しは（ａ）〜（ｊ）とし、本願発明、引用発明の分説に対応させている。
（ａ）引用発明の「始動口２８に入賞したか否かを判定し、始動口２８に入賞したと判定された場合」及び「特別図柄当否判定用乱数」は、それぞれ、本願発明の「始動条件の成立」及び「判定情報」に相当する。
　そうすると、引用発明の「始動口２８に入賞したか否かを判定し、始動口２８に入賞したと判定された場合」に「特別図柄当否判定用乱数」を取得する「主制御部２００」は、本願発明の「始動条件の成立」により「判定情報」を取得する「取得手段」に相当する。
（ｂ）引用発明の「特別図柄当否判定用乱数」を「最大保留数（４個）に達するまで記憶する」ことは、本願発明の「前記取得手段により取得された前記判定情報」を「複数記憶」することに相当する。
　そうすると、引用発明の「取得された特別図柄当否判定用乱数」を「最大保留数（４個）に達するまで記憶する」「主制御部２００のＲＡＭの所定領域（保留記憶領域）」は、本願発明の「前記取得手段により取得された前記判定情報」を「複数記憶して保留可能な」「記憶手段」に相当する。
（ｃ）引用発明の「大当りと判定する特別図柄当否判定」は、本願発明の「遊技者に有利な特別遊技を行うか否かを判定する」ことに相当する。
　また、引用発明において、「特別図柄当否判定用乱数」が「当り値と一致する」ことで「大当りと判定する」ことは、「記憶手段に記憶された判定情報」に「基づいて」「遊技者に有利な特別遊技を行うか否かを判定する」ことに相当する。
　そうすると、引用発明の「特別図柄当否判定用乱数が当り値と一致する場合に大当りと判定する特別図柄当否判定を行う主制御部２００」は、本願発明の「前記記憶手段に記憶された前記判定情報に基づいて、遊技者に有利な特別遊技を行うか否かを判定する判定手段」に相当する。
（ｄ）上記（ｃ）より、引用発明の「特別図柄当否判定」は、本願発明の「前記判定手段が前記判定情報に基づいて前記判定を行う」ことに相当する。
　そうすると、引用発明の「特別図柄当否判定」に「先立ち」、「保留された特別図柄当否判定用乱数」が「当否判定用の当り値と一致しているか否か」を判定する「特別図柄事前判定処理」「を行う」「主制御部２００」は、本願発明の「前記判定手段が前記判定情報に基づいて前記判定を行う」「より前に」、「前記取得手段により取得された前記判定情報」に基づいて、「前記特別遊技を行うか否か」の「事前判定」「を行う」「事前判定手段」に相当する。
（ｅ） 引用発明の「主制御部２００のＲＡＭの所定領域に記憶されている特別図柄当否判定用乱数」は、本願発明の「判定情報」に相当する。
　また、引用発明の「特別図柄の変動表示を開始」し、「特別図柄の変動を停止する」ことは、本願発明の「図柄を変動表示させ、停止させる図柄変動を実行する」ことに相当する。
　そうすると、引用発明の「主制御部２００のＲＡＭの所定領域に記憶されている特別図柄当否判定用乱数」を読み出し、特別図柄当否判定を行い、決定された停止図柄および変動パターンに従って、「特別図柄の変動表示を開始し」、「特別図柄の変動を停止する」「主制御部２００」は、本願発明の「前記判定情報に基づいて、図柄を変動表示させ、停止させる図柄変動を実行する」「図柄変動制御手段」に相当する。
（ｆ）引用発明の「演出表示装置２５」及び「図柄表示等を用いた演出」は、それぞれ、本願発明の「表示手段」及び「所定の表示演出」に相当する。
　そうすると、引用発明の「演出表示装置２５」による「図柄表示等を用いた演出」「制御を司る」「サブ制御部２６０」は、本願発明の「表示手段」を用いて「所定の表示演出」「を実行する」「演出制御手段」に相当する。
（ｆ１）引用発明の「特別図柄事前判定処理の結果、特別図柄当否判定用乱数が当否判定用の当り値と一致している場合」に、「特別図柄の複数回の変動表示に渡って」「演出表示装置２５の表示領域で連続的に予告演出を行」うことは、本願発明の「前記事前判定手段による前記事前判定」に基づいて「前記図柄変動制御手段による複数回の図柄変動に亘って」「連続演出を前記表示手段にて実行」することに相当する。
　また、引用発明の「保留された当り乱数に基づく特別図柄の変動表示が停止するまで」「演出表示装置２５の表示領域で連続的に予告演出を行」うことは、本願発明の「前記取得手段によって前記判定情報が取得されてから、当該判定情報に基づいて前記判定手段によって前記判定が実行されるまでの間」「連続演出を前記表示手段にて実行」することに相当する。
　そうすると、引用発明の「特別図柄事前判定処理の結果、特別図柄当否判定用乱数が当否判定用の当り値と一致している場合には、連続予告を行い、連続予告を行う場合は、特別図柄の複数回の変動表示に渡って、保留された当り乱数に基づく特別図柄の変動表示が停止するまで、演出表示装置２５の表示領域で連続的に予告演出を行」う「サブ制御部２６０」は、本願発明の「連続演出実行手段」と、「前記事前判定手段による前記事前判定に基づいて、前記取得手段によって前記判定情報が取得されてから、当該判定情報に基づいて前記判定手段によって前記判定が実行されるまでの間に、前記図柄変動制御手段による複数回の図柄変動に亘って連続演出を前記表示手段にて実行可能である」点で共通しているといえる。 
（ｆ２）引用発明の「特別図柄の１回の変動表示内で」「予告演出を複数回に渡って実行」する「疑似連続予告」は、本願発明の「演出図柄の変動表示を擬似的に繰り返す」「擬似変動演出」に相当する。
　また、引用発明の「特別図柄当否判定の結果が大当りであると判定された場合」に「疑似連続予告を伴う図柄変動演出を開始」することは、「前記判定手段による前記判定」に基づいて「擬似変動演出」を「実行可能である」ことに相当する。
　そうすると、引用発明の「特別図柄当否判定の結果が大当りであると判定された場合に疑似連続予告実行抽選処理の結果が当選である場合」に「特別図柄の１回の変動表示内で」「予告演出を複数回に渡って実行する」「疑似連続予告を伴う図柄変動演出を開始」する「サブ制御部２６０」は、本願発明の「擬似変動演出実行手段」と、「前記判定手段による前記判定に基づいて、演出図柄の変動表示を擬似的に繰り返す擬似変動演出を実行可能である」点で共通しているといえる。
（ｄ１）引用発明の「取得（記憶）した特別図柄当否判定用乱数」は、本願発明の「前記取得手段により取得された前記判定情報」に相当する。
　また、引用発明の「連続予告フラグをＯＮにセットし、連続予告カウンタをセット」することは、本願発明の「連続演出実行手段によって前記連続演出を実行可能」にすることに相当する。
　また、引用発明において、「当り保留フラグがＯＮにセットされているか否かを判定」し、「取得（記憶）した特別図柄当否判定用乱数」が「当り値と一致しているか否かを判定」し、「当り保留コマンドを受信している場合には、当り保留に対して連続予告を実行するか否かを抽選する連続予告実行抽選処理を行い、当選であると判定」することで、「連続予告フラグをＯＮにセットし、連続予告カウンタをセット」することは、「取得（記憶）した特別図柄当否判定用乱数」に基づいて「連続予告フラグをＯＮにセットし、連続予告カウンタをセット」するか判定しているといえるから、本願発明の「前記取得手段により取得された前記判定情報」に基づいて「連続演出実行手段によって前記連続演出を実行可能か否かを判定」することに相当する。
　さらに、上記（ｄ）より、引用発明の「特別図柄事前判定処理を実行」する「主制御部２００」は、本願発明の「事前判定手段」に相当する。
　そうすると、引用発明の「特別図柄事前判定処理を実行」し、「当り保留フラグがＯＮにセットされているか否かを判定し、当り保留フラグがＯＮにセットされていないと判定された場合には、取得（記憶）した特別図柄当否判定用乱数が当り値と一致しているか否かを判定し、当り値と一致していると判定された場合には、保留された特別図柄当否判定用乱数の当り保留が含まれていることを示すコマンドである当り保留コマンドをＯＮにセットしてサブ制御部２６０に送信」する「主制御部２００」、及び、「主制御部２００が送信する当り保留コマンドを受信している場合には、当り保留に対して連続予告を実行するか否かを抽選する連続予告実行抽選処理を行い、当選であると判定された場合には、連続予告フラグをＯＮにセットし、連続予告カウンタをセット」する「サブ制御部２６０」は、本願発明の「前記取得手段により取得された前記判定情報に基づいて連続演出実行手段によって前記連続演出を実行可能か否かを判定する」「事前連続演出判定手段」を備える「事前判定手段」に相当する。
（ｆ３）引用発明の「連続予告を伴う図柄変動演出を開始する」ことは、本願発明の「前記連続演出実行手段による前記連続演出を実行する」ことに相当する。
　また、上記（ｄ１）と同様に、引用発明の構成ｄ１の「連続予告フラグをＯＮにセットし、連続予告カウンタをセット」することは、本願発明の構成Ｆ３の「前記連続演出実行手段によって前記連続演出を実行可能」とすることに相当する。
　また、引用発明においては、「連続予告フラグをＯＮにセットし、連続予告カウンタをセット」してから、「連続予告を伴う図柄変動演出を開始」して「連続予告を実行する特別図柄の変動回数である連続予告カウンタ」を「減算」して「ゼロである場合」に「連続予告フラグをＯＦＦにセット」するまでの間は、本願発明の「前記事前連続演出判定手段によって前記連続演出が実行可能と判定されてから、前記連続演出実行手段により前記連続演出を実行するまで」に相当する。
　さらに、引用発明においては、「連続予告フラグをＯＮにセットし、連続予告カウンタをセット」してから、「連続予告フラグをＯＦＦにセット」するまでの間は、連続予告フラグがＯＮであるので、「疑似連続予告を伴う図柄変動演出を開始」せず、さらに、「連続予告フラグがＯＦＦにセット」された後については、「疑似連続予告実行抽選処理の結果が当選であるか否かを判定し、当選である場合に」、「疑似連続予告を伴う図柄変動演出を開始」が可能であるといえる。
　そうすると、引用発明の「連続予告フラグがＯＮにセットされている場合には、連続予告を伴う図柄変動演出を開始し、連続予告を実行する特別図柄の変動回数である連続予告カウンタを１減算し、連続予告カウンタがゼロである場合には、連続予告フラグをＯＦＦにセットし、一方、連続予告フラグがＯＮにセットされていない場合には、疑似連続予告実行抽選処理の結果が当選であるか否かを判定し、当選である場合には、疑似連続予告を伴う図柄変動演出を開始する」「サブ制御部２６０」は、本願発明の「前記連続演出実行手段による前記連続演出を実行する場合、前記事前連続演出判定手段によって前記連続演出が実行可能と判定されてから、前記連続演出実行手段により前記連続演出を実行するまで前記擬似変動演出実行手段による前記擬似変動演出を実行しないとともに、当該連続演出を実行した後に、前記擬似変動演出実行手段による前記擬似変動演出を実行可能にする」「演出制御手段」に相当する。
（ｊ）引用発明の「遊技機１」は、本願発明の「遊技機」に相当する。 
　上記（ａ）〜（ｊ）から、本願発明と引用発明とは、
［一致点］
「Ａ　始動条件の成立により判定情報を取得する取得手段と、
　Ｂ　前記取得手段により取得された前記判定情報を複数記憶して保留可能な記憶手段と、
　Ｃ　前記記憶手段に記憶された前記判定情報に基づいて、遊技者に有利な特別遊技を行うか否かを判定する判定手段と、
　Ｄ　前記判定手段が前記判定情報に基づいて前記判定を行うより前に、前記取得手段により取得された前記判定情報に基づいて、前記特別遊技を行うか否かの事前判定を行う事前判定手段と、
　Ｅ　前記判定情報に基づいて、図柄を変動表示させ、停止させる図柄変動を実行する図柄変動制御手段と、
　Ｆ　表示手段を用いて所定の表示演出を実行する演出制御手段と、を備え、
　Ｆ１’前記演出制御手段は、前記事前判定手段による前記事前判定に基づいて、前記取得手段によって前記判定情報が取得されてから、当該判定情報に基づいて前記判定手段によって前記判定が実行されるまでの間に、前記図柄変動制御手段による複数回の図柄変動に亘って連続演出を前記表示手段にて実行可能である連続演出実行手段と、
　Ｆ２’前記判定手段による前記判定に基づいて、演出図柄の変動表示を擬似的に繰り返す擬似変動演出を実行可能である擬似変動演出実行手段と、を備え、
　Ｄ１　前記事前判定手段は、前記取得手段により取得された前記判定情報に基づいて、前記連続演出実行手段によって前記連続演出が実行可能か否かを判定する事前連続演出判定手段を備え、
　Ｆ３　前記演出制御手段は、前記連続演出実行手段による前記連続演出を実行する場合、前記事前連続演出判定手段によって前記連続演出が実行可能と判定されてから前記連続演出実行手段により前記連続演出を実行するまで前記擬似変動演出実行手段による前記擬似変動演出を実行しないとともに、当該連続演出を実行した後に、前記擬似変動演出実行手段による前記擬似変動演出を実行可能にする、
　Ｊ　ことを特徴とする遊技機。」
である点で一致し、以下の点で相違する。  
［相違点１］（構成Ｆ１）
　本願発明は、「連続演出の実行中に」「第１画像により連続演出を実行していることを示唆する連続演出示唆表示」を「表示手段に表示可能」であるが、引用発明は、連続予告の実行中に第１画像により連続予告を実行していることを示唆する示唆表示を演出表示装置２５に表示可能であるか明らかではない点。
［相違点２］（構成Ｆ１）
　本願発明は、「連続演出を連続して実行することに応じて態様を変化させることが可能な連続演出示唆表示を前記表示手段に表示可能」であるのに対し、引用発明には当該連続演出示唆表示があるか明らかでない点。
［相違点３］（構成Ｆ２）
　本願発明は、「擬似変動演出の実行中に」「前記第１画像とは異なる第２画像により当該擬似変動演出を実行していることを示唆する擬似変動演出示唆表示」を「表示手段に表示可能」であるが、引用発明は、連続予告と疑似連続予告は異なる態様であるものの、疑似連続予告の実行中に、連続予告とは異なる画像により疑似連続予告を実行していることを示唆する示唆表示を演出表示装置２５に表示可能であるか明らかではない点。
第６　判断
　上記相違点について検討する。
ア　相違点１、３について
　相違点１、３については、関連するのでまとめて検討する。
　引用例２には、上記「第４」「（４−２）」に記載したように、引用例２に記載された事項として、
「ｆ１　連続予告演出を実行する場合には、演出表示装置２７の右循環表示領域２７Ｒから帽子を被った蝶のキャラクタＧ８が飛び立つ表示を行い、
　ｆ２　疑似連続予告演出を実行する場合には、演出表示装置２７の左循環表示領域２７Ｌから帽子を脱いだ蝶のキャラクタＧ２が飛び立つ表示を行う、
　ｊ　遊技機１」
　
　が記載されている。
　ここで、引用例２に記載された事項の「帽子を被った蝶のキャラクタＧ８が飛び立つ表示」、「連続予告演出」、「帽子を脱いだ蝶のキャラクタＧ２が飛び立つ表示」、「疑似連続予告演出」及び「演出表示装置２７」は、それぞれ、本願発明の「第１画像」、「連続演出」、「第１画像とは異なる第２画像」、「擬似変動演出」及び「表示手段」に相当する。
　このことから、引用例２に記載された事項は、本願発明の構成Ｆ１の「連続演出の実行中に第１画像により連続演出を実行していることを示唆する」「連続演出示唆表示」を「表示手段」に「表示可能である」こと、及び、本願発明の構成Ｆ２の「擬似変動演出の実行中に第１画像とは異なる第２画像により擬似変動演出を実行していることを示唆する擬似変動演出示唆表示」を「表示手段」に「表示可能である」ことに相当する構成を有している。
　そして、引用発明と引用例２に記載された事項とは、いずれも、遊技機の技術分野に属する点で共通し、また、連続予告と疑似連続予告の両方を実行可能な遊技機であるという点で、作用・機能も共通している。
　よって、引用発明に引用例２に記載された事項を適用して、連続予告又は疑似連続予告の実行中にそれぞれ異なるキャラクタの演出映像を演出表示装置２５に表示することにより連続予告又は疑似連続予告を実行していることを示唆するようにすることで、上記相違点１、３に係る本願発明の構成とすることは、当業者が容易になし得たことである。
　また、本願発明の奏する作用効果は、引用発明及び引用例２に記載された事項の奏する作用効果から予測される範囲内のものにすぎず、格別顕著なものということはできない。 
イ　相違点２について
　遊技機の分野において、遊技者に連続予告演出への期待を持たせるために、連続予告演出の実行回数等に応じて演出の態様を変化させること（本願発明の構成Ｆ１の「連続演出を連続して実行することに応じて態様を変化させることが可能な連続演出示唆表示」を「表示手段に表示」することに相当）は、周知技術である（一例として、当審における拒絶の理由（平成３０年１０月１日付け拒絶理由通知）に引用文献３として引用された特開２０１４−１７１７４２号公報［【００８１】〜【００８７】、【図６】を参照。］がある。以下、「周知技術」という。）から、引用発明に当該周知技術を適用することにより、上記相違点２に係る本願発明の構成とすることは、当業者が容易になし得たことである。
　また、本願発明の奏する作用効果は、引用発明及び上記周知技術の奏する作用効果から予測される範囲内のものにすぎず、格別顕著なものということはできない。
第７　請求人の主張について
　請求人は平成３０年７月３日に提出した意見書において、
「３．拒絶理由が解消された根拠
（１）理由３について
（１−１）引用文献の説明　
　・・・
（１−２）新請求項１と引用文献との対比
　本願の新請求項１に係る遊技機では、演出制御手段は、連続演出実行手段による連続演出を実行する場合、取得手段により取得された判定情報に基づいて、連続演出実行手段によって連続演出が実行可能か否かを判定する事前連続演出判定手段によって連続演出が実行可能と判定されてから連続演出実行手段により連続演出示唆表示を伴った連続演出を実行するまで擬似変動演出実行手段による擬似変動演出示唆表示を伴った擬似変動演出を実行しないとともに、当該連続演出を実行した後に、擬似変動演出実行手段による擬似変動演出を実行可能にすることを要旨としています。
　上述の本願の新請求項１に係る遊技機によれば、本願の段落［０２２４］〜［０２３４］、および［図１６］、［図１７］に記載したように、まず、遊技機１００では、擬似連演出ありの変動パターンが選択された場合には、擬似連図柄での擬似連図柄仮停止演出（擬似連変動演出示唆表示）を伴った擬似連演出を実行可能であり、連続演出を実行する場合には、雷画像１３１Ｂでの演出（連続演出示唆表示）を伴った連続演出を実行可能です。また、本願の段落［０１９５］〜［０２１６］、および［図１３］、［図１４］に記載したように、事前判定情報において所定の条件Ａ，Ｂが満たされて連続演出フラグがＯＮとなった場合、つまり、連続演出を実行する場合には、擬似連演出フラグがＯＦＦとなり、連続演出フラグがＯＮとなってから連続演出の実行が終了するまで擬似連演出が実行されないように設定することができます。そして、これらの連続演出を実行した後に、連続演出フラグがＯＦＦとなり、擬似連演出フラグがＯＮとなって擬似連演出を実行することができます。
　このような遊技機であれば、例えば、事前判定情報では連続演出を実行することとなっているとともに擬似連演出ありの変動パターンが選択された場合であっても、当該変動において、擬似連演出を実行せずに、連続演出を実行するようにしているので、一つの変動中に少なくとも一回の連続演出と擬似連演出が実行されることによって、大当たりを期待している遊技者に対して演出の長さを冗長的に感じさせる、といったことを抑制することができます。
　この点、上述のような効果を奏する本願の新請求項１に係る遊技機は、当業者と雖も、引用文献１〜３に基づいて、容易に想到できるものではありません。
　まず、引用文献１においては、審判官殿がご指摘された通り、連続予告の実行中は、連続予告を実行する複数回の図柄変動時のそれぞれにおいて、疑似連続予告を実行しないことが記載されています。
しかしながら、引用文献１においては、これらの連続予告が実行された後の変動において、擬似連続予告が実行されることについては、開示も示唆もありません。また、引用文献２，３においても、連続予告演出等が実行された後の変動における擬似連続予告演出等の実行に関しての開示も示唆もありません。つまり、引用文献１〜３のいずれにおいても、本願の新請求項１の要旨に関しての開示も示唆もなく、延いては、本願の新請求項１に係る遊技機で奏する効果に関しての開示も示唆もないこととなります。
　以上より、上述のような効果を奏する本願の新請求項１に係る発明は、引用文献１〜３に記載された事項に基づいて、当業者であっても容易に想到できないものであるといえ、また、本願の請求項２は削除したため、本件の拒絶理由のうちの理由３については解消されたものと思料致します。」
　という主張をしている（下線は当審にて付した。）。
　しかしながら、上記下線部の主張については、既に上記「第５　対比」の（ｆ３）にて示したとおり、引用発明は、連続予告が実行された後の変動において、疑似連続予告を実行可能であるから、結局、審判請求人が主張する点において、引用発明と本願発明とは差異はない。
　よって、上記主張は、採用することはできない。 
第８　むすび
　以上のとおりであるから、本願発明は、引用発明、引用例２に記載された事項、及び、周知技術から、当業者が容易に発明をすることができたものであるので、特許法第２９条第２項の規定により、特許を受けることができない。
　よって、結論のとおり審決する。